(57)【要約】【課題】  表皮材を適宜交換して使用する場所、季節に応じた多様な使用感を持つことができる財布を提供する。【解決手段】  財布表皮部と、上記財布表皮部に着脱可能に装着される財布本体部とを備え、上記財布表皮部は二つ折り可能に形成された板状ケース部材により構成されると共に、上記財布本体部は、上記板状ケース部材の内側面部に固定される。【選択図】  図１
0003168204.tif 000002
【実用新案登録請求の範囲】
【請求項１】
財布表皮部と、上記財布表皮部に着脱可能に装着される財布本体部とを備え、上記財布表皮部は二つ折り可能に形成された板状ケース部材により構成されると共に、上記財布本体部は上記板状ケース部材の内側面部に固定されることを特徴とする財布。
【請求項２】
上記財布本体部は、蛇腹状のマチ部により接合された複数の紙幣収納部を有することを特徴とする請求項１記載の財布。
【請求項３】
上記財布本体部は、上記財布表皮部と同一の形状及び大きさに形成された一対の板状フレーム材と、上記一対のフレーム部材の間に上記蛇腹状マチ部により互いに接合された複数の仕切り板を備えていることを特徴とする請求項２記載の財布。
【請求項４】
上記財布表皮部を形成する板状ケース部材の内側面部には第一の係合部材が設けられると共に、上記財布本体部を形成する一対の板状フレーム部材の外側面部には上記第一の係合部材に着脱可能に係合する第二の係合部材が設けられていることを特徴とする請求項１記載の財布。
【請求項５】
上記板状ケース部材は平面方形に形成されると共に、上記板状ケース部材の開口側縁部にはファスナー部材が設けられ、上記第一の係合部材は上記板状ケース部材の各隅部に設けられていることを特徴とする請求項４記載の財布。
【請求項６】
上記第一の係合部材及び第二の係合部材は面ファスナーであることを特徴とする請求項４記載の財布。
【請求項７】
上記板状ケース部材は平面略正形状に形成されると共に上記板状フレーム部材の周縁部は上記ファスナー部材の取付用帯部により被覆されていることを特徴とする請求項５記載の財布。
【考案の詳細な説明】
【技術分野】
【０００１】
本考案は、財布の改良に関する。
【背景技術】
【０００２】
一般に、財布は、表皮材そのものが札入れ部を構成しており、現在、表皮部を交換することができるように構成された財布は販売されていない。
【考案の開示】
【考案が解決しようとする課題】
【０００３】
しかしながら、近年、需要者の嗜好が多様化しており、例えば、財布に関しても、使用する場所、季節等に合わせて表皮部を取り換えることができれば、使用する時々の使用者の気分にマッチした財布を持つことができる。
【０００４】
従って、このような観点から、財布の表皮部を適宜交換できる財布があれば、財布の使用感を向上させることができると共に、使用者の嗜好、その時々の好みに合わせて、財布の外観を変更して使用することにより、財布のさらなる需要を喚起することができる。
そこで、本考案は、表皮材を適宜交換して使用する場所、季節に応じた多様な使用感を持つことができる財布を製造コストを上昇させることなく提供することにある。
【課題を解決するための手段】
【０００５】
上記課題解決のため、請求項１記載の考案にあっては、財布表皮部と、上記財布表皮部に着脱可能に装着される財布本体部とを備え、上記財布表皮部は二つ折り可能に形成された板状ケース部材により構成されると共に、上記財布本体部は、上記板状ケース部材の内側面部に固定されることを特徴とする。
【０００６】
従って、請求項１記載の考案にあっては、デザイン、色等の異なる複数の財布表皮部を財布本体部に着脱可能に取り付けることにより、異なる財布表皮部を備えた財布を形成することができる。
【０００７】
請求項２記載の考案にあっては、上記財布本体部は、蛇腹状のマチ部により接合された複数の紙幣収納部を有することを特徴とする。
【０００８】
請求項３記載の考案にあっては、上記財布本体部は、一対の板状フレーム材と、上記一対のフレーム部材の間に上記蛇腹状マチ部により互いに接合された複数の仕切り板を備えていることを特徴とする。
【０００９】
請求項４記載の考案にあっては、上記財布表皮部を形成する板状ケース部材の内側面部には第一の係合部材が設けられると共に、上記財布本体部を形成する一対の板状フレーム部材の外側面部には上記第一の係合部材に着脱可能に係合する第二の係合部材が設けられていることを特徴とする。
【００１０】
請求項５記載の考案にあっては、上記板状ケース部材は平面方形に形成されると共に、上記板状ケース部材の開口側縁部にはファスナー部が設けられ、上記第一の係合部材は上記板状ケース部材の各隅部に設けられていることを特徴とする。
【００１１】
請求項６記載の考案にあっては、上記第一の係合部材及び第二の係合部材は、面ファスナーであることを特徴とする。
【００１２】
請求項７記載の考案にあっては、上記板状ケース部材は略正方形状に形成されると共に上記板状フレーム部材の周縁部は上記ファスナー部材の取付用帯部により被覆されていることを特徴とする。
【考案の効果】
【００１３】
請求項１記載の考案にあっては、財布表皮部と、上記財布表皮部に着脱可能に装着される財布本体部とを備え、上記財布表皮部は二つ折り可能に形成された板状ケース部材により構成されると共に、上記財布本体部は、上記板状ケース部材の内側面部に固定されることを特徴とすることから、上記財布表皮材を適宜交換して使用でき、場所、季節、各自の嗜好に応じた、多様な使用感を持つことができる財布を、製造コストを上昇させることなく提供することができる。
【００１４】
請求項２記載の考案にあっては、上記財布本体部は、蛇腹状のマチ部により接合された複数の紙幣収納部を有することから、複数の紙幣収納部を備えた財布表皮部を交換可能な財布を提供することができる。
【００１５】
請求項３記載の考案にあっては、上記財布本体部は、一対の板状フレーム材と、上記一対のフレーム部材の間に上記蛇腹状マチ部により互いに接合された複数の仕切り板を備えていることから、一対の板状フレーム材により画成され、剛性を有する財布本体部を備えた財布を提供することができる。
【００１６】
請求項４記載の考案にあっては、上記財布表皮部を形成する板状ケース部材の内側面部には第一の係合部材が設けられると共に、上記財布本体部を形成する一対の板状フレーム部材の外側面部には上記第一の係合部材に着脱可能に係合する第二の係合部材が設けられていることから、使用者は複数種類の財布表皮部を準備した場合には、上記第一の係合部材に第二の係合部材を係合させ、財布表皮部を容易に取り換えることができる財布を提供することができる。
【００１７】
請求項５記載の考案にあっては、上記板状ケース部材は平面方形に形成されると共に、上記板状ケース部材の開口側縁部にはファスナー部が設けられ、上記第一の係合部材は上記板状ケース部材の開口側隅部に設けられていることから、使用者は、財布本体部部を財布表皮部の開口側端部において固定することにより財布本体部部を財布表皮部に固定することが可能となり、財布本体部を財布表皮部へ容易に固定することができる財布を提供すことができる。
【００１８】
請求項６記載の考案にあっては、上記第一の係合部材及び第二の係合部材は、面ファスナーであることから、財布表皮部と財布本体部部との間の接合固定面積が大きく、より確実に財布本体部を財布表皮部に固定できる財布を提供することができる。
【００１９】
請求項７記載の考案にあっては、上記板状ケース部材は平面略正方形状に形成されると共に上記板状フレーム部材の周縁部は上記ファスナー部材の取付用帯部により被覆されていることから、財布本体部部を財布表皮部へ固定した場合であっても、財布本体部部の周縁部が上記ファスナー部材の取付用帯部により被覆されることから、使用時に財布を二つ折りに開いた場合であっても、財布本体部の財布表皮部への取付部が外方から見えず、外観品質の高い、財布表皮部を交換することができる財布を提供することができる。
【図面の簡単な説明】
【００２０】
【図１】本考案に係る財布の一実施の形態を示す分解斜視図であって、財布本体部を財布表皮部から取り外した状態を示す図である。
【図２】本考案に係る財布の一実施の形態を示す斜視図であって、財布本体部を財布表皮部の一方の板状ケース部のみに取り付けた状態を示す図である。
【図３】本考案に係る財布の一実施の形態を示す斜視図であって、ファスナーを開放した状態を示す斜視図である。
【図４】本考案に係る財布の一実施の形態を示す斜視図であって、ファスナーを閉じた状態を示す斜視図である。
【図５】本考案に係る財布の他の実施の形態を示す斜視図である。
【考案を実施するための最良の形態】
【００２１】
以下、添付図面に示す実施の形態に基づき、本考案に係る財布を詳細に説明する。
【００２２】
図１に示すように、本考案に係る財布１０は、財布表皮部１１と、上記財布表皮部１１に着脱可能に装着される財布本体部１２とを備えている。
【００２３】
上記財布表皮部１１は二つ折り可能に形成された板状ケース部材１３により構成されると共に、上記財布本体部１２は、上記板状ケース部材１３の内側面部１４に固定されるように構成されている。
上記財布表皮部１１を形成する板状ケース部材１３は、平面略正方形状に形成され、幅方向中間部において二つ折りとなるように折曲され、折部１３ｂ及びこの折り部１３ｂに連設される側面部１３ａ、１３ａとにより構成されている。
【００２４】
上記財布表皮部１１を形成する板状ケース部材１３の内側面部には第一の係合部材である雌ホック２１が、上記板状ケース部材１３の、二つ折りにされる側面部１３ａ、１３ａの内側面部の各隅部において８ヶ所に取付られている。
【００２５】
また上記板状ケース部材１３の開口側縁部にはファスナー部材２２が設けられており、側面部１３ａ、１３ａの全周に亘ってファスナー部材２２が取付用帯部２３により固定されている。
【００２６】
上記財布本体部１２は、蛇腹状のマチ部１５により接合された複数の紙幣収納部１６を有しており、上記財布表皮部１１と同様に平面略正方形状であって、同一の大きさに形成された一対の板状フレーム材１７、１７と、上記一対のフレーム部材１７、１７の間に上記蛇腹状のマチ部１５により互いに接合された２つの仕切り板１８、１８を備えている。
【００２７】
上記板状フレーム材１７、１７には、上記財布表皮部１２を形成する板状ケース部材１３に固定された雌ホック２１に係合する第二の係合部材である８個の雄ホック２５が対応する部位に固定されている。
【００２８】
本実施の形態にあっては、厚さ方向中間部には、コイン収納部１９が設けられ、上記コイン収納部１９を厚さ方向において挟むように、所定間隔を置いて一対の仕切り板１８、１８が、側端部が上記蛇腹状マチ部１５に固定されると共に、下端部が底面部２０に固定されて設けられている。
【００２９】
上記コイン収納部１９は上端部にファスナー部材２６が設けられていると共に、上記仕切り板１８、１８の側面部にはカード入れ部２４が形成されている。
【００３０】
以下、本実施の形態に係る財布１０の使用状態について説明する。
図２に示すように、本実施の形態に係る財布１０を使用する場合には、上記財布本体部１２の雄ホック２５と財布表皮部１１の雌ホック２１とを係合させて、財布本体部１２を財布表皮部１１へ固定し、図３及び図４に示すように、財布１０を形成し、ファスナー部材２２が設けられていることから、ファスナー部材２２により財布表皮部１１を開閉することにより使用することができる。
【００３１】
この場合、財布本体部１２が財布表皮部１１に固定された場合には、財布本体部１２を形成する上記板状フレーム部材１７の周縁部は上記ファスナー部材２２の取付用帯部２３により被覆されていることから、外部からは財布本体部１２と財布表皮部１１とが分離できるように形成されていることは全く判別せず、通常の財布のように見える。その結果、財布表皮部１１を取り外せるように構成した場合であっても、外観品質が低下してしまうことがない。
【００３２】
また、必要時には、財布本体部１２を財布表皮部１１から取り外すことにより、別個の色の素材からなる表皮材により形成した財布表皮部と交換し、同様に財布本体部部１２を固定して、「着せ替え」を行うことにより、その時々の、使用者の気分や、季節や、場所に応じたコーディネートされた財布として使用することができる。
【００３３】
なお、本実施の形態にあっては、係合部材として雌ホック２１及び雄ホック２５を使用する場合を例に説明したが、本実施の形態に限定されず、例えば、図５に示すように、財布本体部１２を構成する板状フレーム材１７、１７及び財布表皮部１１を構成する板状ケース部材１３の内側面部に、夫々、面ファスナー２６、２６を設け、面ファスナー２６、２６により係合固定するように構成してもよい。
【産業上の利用可能性】
【００３４】
本考案は、広く財布に適用できる。
【符号の説明】
【００３５】
１０    財布
１１    財布表皮部
１２    財布本体部
１３    板状ケース部材
１３ａ  側面部
１３ｂ  折部
１４    内側面部
１５    マチ部
１６    紙幣収納部
１７    板状フレーム材
１８    仕切り板部
１９    コイン収納部
２０    底面部
２１    雌ホック
２２    ファスナー部材
２３    取付用帯部
２４    カード入れ部
２５    雄ホック
２６    ファスナー部材
【図１】
0003168204.tif 000003
【図２】
0003168204.tif 000004
【図３】
0003168204.tif 000005
【図４】
0003168204.tif 000006
【図５】
0003168204.tif 000007